(57)【要約】【課題】利用者の近くにある電話機に自動的に着信する電話システムにおいて必要以上に着信鳴動しない電話機と当該電話システムに適した着信制御装置を提供する。【解決手段】電話機２１等は、符号１００で示す短距離検出波を周囲に送出し、利用者ＩＤが応答されたときは、サーバ１へ登録リクエストを送信するとともに、他の電話機に対し、近傍検出通知を電話網を介して送出し、符号２００で示す長距離検出波に対し利用者ＩＤが応答されかつ当該長距離検出波に対し応答された利用者ＩＤと他の電話機の電話機ＩＤとを含む近傍検出通知を検出したときは、サーバ１に削除リクエストを送信するので、符号Ｐ１で示すように、自身からの長距離検出波の到達範囲内に応答器を検出した場合であっても当該応答器が他の電話機からの短距離検出波の到達範囲内にあるときは自身には着信及び鳴動しないようになる。【選択図】      図１
2004289273.tif 000002
【特許請求の範囲】
【請求項１】
電話網に接続される複数の電話機の１つとして使用される電話機であって、
利用者の利用者ＩＤを記憶した応答器を検出するための到達距離の短い短距離検出波を周囲に送出し、当該短距離検出波に対し利用者ＩＤが応答されたときは、当該利用者ＩＤの利用者への着信要求に対する着信が自身になされるための設定処理を行うとともに、他の電話機に対し、当該応答された利用者ＩＤと自身の電話機ＩＤとを含む近傍検出通知を電話網を介して送出し、
前記短距離検出波に対し利用者ＩＤが応答されないときは、到達距離の長い長距離検出波を周囲に送出し、当該長距離検出波に対し利用者ＩＤが応答されかつ当該長距離検出波に対し応答された利用者ＩＤと他の電話機の電話機ＩＤとを含む近傍検出通知を検出したときは、当該長距離検出波に対し応答された利用者ＩＤの利用者への着信要求に対する着信を自身にさせないための設定処理を行う
ことを特徴とする電話機。
【請求項２】
複数の電話機が接続される電話網に接続される着信制御装置であって、
利用者の利用者ＩＤと該利用者ＩＤを応答された電話機の電話機ＩＤとを含む列からなるテーブルの当該利用者ＩＤの利用者への着信要求に対する着信が当該電話機ＩＤを対応づけられた電話機になされるように制御しかつ、
前記複数の電話機のそれぞれが、
利用者の利用者ＩＤを記憶した応答器を検出するための到達距離の短い短距離検出波を周囲に送出し、当該短距離検出波に対し利用者ＩＤが応答されたときは、当該利用者ＩＤと自身の電話機ＩＤとを含む登録リクエストを当該着信制御装置に送信するとともに、他の電話機に対し、当該応答された利用者ＩＤと自身の電話機ＩＤとを含む近傍検出通知を電話網を介して送出し、
前記短距離検出波に対し利用者ＩＤが応答されないときは、到達距離の長い長距離検出波を周囲に送出し、当該長距離検出波に対し利用者ＩＤが応答されかつ当該長距離検出波に対し応答された利用者ＩＤと他の電話機の電話機ＩＤとを含む近傍検出通知を検出したときは、当該長距離検出波に対し応答された利用者ＩＤと自身の電話機ＩＤとを含む削除リクエストを当該着信制御装置に送信する
ときに、
到来したリクエストが登録リクエストであり、かつ当該登録リクエストに含まれる利用者ＩＤと電話機ＩＤを含む列が前記テーブルになければ当該列を追加する一方、到来したリクエストが削除リクエストであり、かつ当該削除リクエストに含まれる利用者ＩＤと電話機ＩＤを含む列がテーブルにあれば当該列を削除する
ことを特徴とする着信制御装置。
【請求項３】
登録リクエストまたは削除リクエストが到来する度に到来の時刻を更新時刻として当該リクエストに含まれる利用者ＩＤに対応づけて記憶し、当該利用者ＩＤの利用者への着信要求の際に当該更新時刻が過去の所定時点までの間の時刻でない場合には着信しないように制御することを特徴とする請求項２記載の着信制御装置。
【請求項４】
前記着信しないように制御する際には利用者ＩＤに利用者が不在であることを示す情報を対応づけ、次回の着信要求の際に当該不在であることを示す情報が対応づけられているときには着信しないように制御することを特徴とする請求項３記載の着信制御装置。
【請求項５】
グループのグループＩＤと当該グループに属する利用者の利用者ＩＤとが対応づけられていて、当該グループへの着信要求に対する着信が当該利用者ＩＤに対して前記テーブルで電話機ＩＤを対応づけられた電話機になされるように制御することを特徴とする請求項２ないし４のいずれかに記載の着信制御装置。
【請求項６】
電話網に接続される複数の電話機の１つとして使用される電話機が行う電話機の制御方法であって、
利用者の利用者ＩＤを記憶した応答器を検出するための到達距離の短い短距離検出波を周囲に送出し、当該短距離検出波に対し利用者ＩＤが応答されたときは、当該利用者ＩＤの利用者への着信要求に対する着信が自身になされるための設定処理を行うとともに、他の電話機に対し、当該応答された利用者ＩＤと自身の電話機ＩＤとを含む近傍検出通知を電話網を介して送出し、
前記短距離検出波に対し利用者ＩＤが応答されないときは、到達距離の長い長距離検出波を周囲に送出し、当該長距離検出波に対し利用者ＩＤが応答されかつ当該長距離検出波に対し応答された利用者ＩＤと他の電話機の電話機ＩＤとを含む近傍検出通知を検出したときは、当該長距離検出波に対し応答された利用者ＩＤの利用者への着信要求に対する着信を自身にさせないための設定処理を行う
ことを特徴とする電話機の制御方法。
【請求項７】
複数の電話機が接続される電話網に接続される着信制御装置が行う着信制御方法であって、
利用者の利用者ＩＤと該利用者ＩＤを応答された電話機の電話機ＩＤとを含む列からなるテーブルの当該利用者ＩＤの利用者への着信要求に対する着信が当該電話機ＩＤを対応づけられた電話機になされるように制御しかつ、
前記複数の電話機のそれぞれが、
利用者の利用者ＩＤを記憶した応答器を検出するための到達距離の短い短距離検出波を周囲に送出し、当該短距離検出波に対し利用者ＩＤが応答されたときは、当該利用者ＩＤと自身の電話機ＩＤとを含む登録リクエストを当該着信制御装置に送信するとともに、他の電話機に対し、当該応答された利用者ＩＤと自身の電話機ＩＤとを含む近傍検出通知を電話網を介して送出し、
前記短距離検出波に対し利用者ＩＤが応答されないときは、到達距離の長い長距離検出波を周囲に送出し、当該長距離検出波に対し利用者ＩＤが応答されかつ当該長距離検出波に対し応答された利用者ＩＤと他の電話機の電話機ＩＤとを含む近傍検出通知を検出したときは、当該長距離検出波に対し応答された利用者ＩＤと自身の電話機ＩＤとを含む削除リクエストを当該着信制御装置に送信する
ときに、
到来したリクエストが登録リクエストであり、かつ当該登録リクエストに含まれる利用者ＩＤと電話機ＩＤを含む列が前記テーブルになければ当該列を追加する一方、到来したリクエストが削除リクエストであり、かつ当該削除リクエストに含まれる利用者ＩＤと電話機ＩＤを含む列がテーブルにあれば当該列を削除する
ことを特徴とする着信制御方法。
【請求項８】
登録リクエストまたは削除リクエストが到来する度に到来の時刻を更新時刻として当該リクエストに含まれる利用者ＩＤに対応づけて記憶し、当該利用者ＩＤの利用者への着信要求の際に当該更新時刻が過去の所定時点までの間の時刻でない場合には着信しないように制御することを特徴とする請求項７記載の着信制御方法。
【請求項９】
前記着信しないように制御する際には利用者ＩＤに利用者が不在であることを示す情報を対応づけ、次回の着信要求の際に当該不在であることを示す情報が対応づけられているときには着信しないように制御することを特徴とする請求項８記載の着信制御方法。
【請求項１０】
グループのグループＩＤと当該グループに属する利用者の利用者ＩＤとが対応づけられているときに、当該グループへの着信要求に対する着信が当該利用者ＩＤに対して前記テーブルで電話機ＩＤを対応づけられた電話機になされるように制御することを特徴とする請求項７ないし９のいずれかに記載の着信制御方法。
【請求項１１】
電話網に接続される複数の電話機の１つとして使用される電話機に電話機の制御方法を実行させるコンピュータプログラムであって、
前記電話機の制御方法が、
利用者の利用者ＩＤを記憶した応答器を検出するための到達距離の短い短距離検出波を周囲に送出し、当該短距離検出波に対し利用者ＩＤが応答されたときは、当該利用者ＩＤの利用者への着信要求に対する着信が自身になされるための設定処理を行うとともに、他の電話機に対し、当該応答された利用者ＩＤと自身の電話機ＩＤとを含む近傍検出通知を電話網を介して送出し、
前記短距離検出波に対し利用者ＩＤが応答されないときは、到達距離の長い長距離検出波を周囲に送出し、当該長距離検出波に対し利用者ＩＤが応答されかつ当該長距離検出波に対し応答された利用者ＩＤと他の電話機の電話機ＩＤとを含む近傍検出通知を検出したときは、当該長距離検出波に対し応答された利用者ＩＤの利用者への着信要求に対する着信を自身にさせないための設定処理を行う
ことを特徴とするコンピュータプログラム。
【請求項１２】
複数の電話機が接続される電話網に接続される着信制御装置に着信制御方法を実行させるコンピュータプログラムであって、
前記着信制御方法が、
利用者の利用者ＩＤと該利用者ＩＤを応答された電話機の電話機ＩＤとを含む列からなるテーブルの当該利用者ＩＤの利用者への着信要求に対する着信が当該電話機ＩＤを対応づけられた電話機になされるように制御しかつ、
前記複数の電話機のそれぞれが、
利用者の利用者ＩＤを記憶した応答器を検出するための到達距離の短い短距離検出波を周囲に送出し、当該短距離検出波に対し利用者ＩＤが応答されたときは、当該利用者ＩＤと自身の電話機ＩＤとを含む登録リクエストを当該着信制御装置に送信するとともに、他の電話機に対し、当該応答された利用者ＩＤと自身の電話機ＩＤとを含む近傍検出通知を電話網を介して送出し、
前記短距離検出波に対し利用者ＩＤが応答されないときは、到達距離の長い長距離検出波を周囲に送出し、当該長距離検出波に対し利用者ＩＤが応答されかつ当該長距離検出波に対し応答された利用者ＩＤと他の電話機の電話機ＩＤとを含む近傍検出通知を検出したときは、当該長距離検出波に対し応答された利用者ＩＤと自身の電話機ＩＤとを含む削除リクエストを当該着信制御装置に送信する
ときに、
到来したリクエストが登録リクエストであり、かつ当該登録リクエストに含まれる利用者ＩＤと電話機ＩＤを含む列が前記テーブルになければ当該列を追加する一方、到来したリクエストが削除リクエストであり、かつ当該削除リクエストに含まれる利用者ＩＤと電話機ＩＤを含む列がテーブルにあれば当該列を削除する
ことを特徴とするコンピュータプログラム。
【請求項１３】
前記着信制御方法が、登録リクエストまたは削除リクエストが到来する度に到来の時刻を更新時刻として当該リクエストに含まれる利用者ＩＤに対応づけて記憶し、当該利用者ＩＤの利用者への着信要求の際に当該更新時刻が過去の所定時点までの間の時刻でない場合には着信しないように制御することを特徴とする請求項１２記載のコンピュータプログラム。
【請求項１４】
前記着信制御方法が、前記着信しないように制御する際には利用者ＩＤに利用者が不在であることを示す情報を対応づけ、次回の着信要求の際に当該不在であることを示す情報が対応づけられているときには着信しないように制御することを特徴とする請求項１３記載のコンピュータプログラム。
【請求項１５】
前記着信制御方法が、グループのグループＩＤと当該グループに属する利用者の利用者ＩＤとが対応づけられているときに、当該グループへの着信要求に対する着信が当該利用者ＩＤに対して前記テーブルで電話機ＩＤを対応づけられた電話機になされるように制御することを特徴とする請求項１２ないし１４のいずれかに記載のコンピュータプログラム。
【請求項１６】
電話網に接続される複数の電話機の１つとして使用される電話機に電話機の制御方法を実行させるコンピュータプログラムを格納した記録媒体であって、
前記電話機の制御方法が、
利用者の利用者ＩＤを記憶した応答器を検出するための到達距離の短い短距離検出波を周囲に送出し、当該短距離検出波に対し利用者ＩＤが応答されたときは、当該利用者ＩＤの利用者への着信要求に対する着信が自身になされるための設定処理を行うとともに、他の電話機に対し、当該応答された利用者ＩＤと自身の電話機ＩＤとを含む近傍検出通知を電話網を介して送出し、
前記短距離検出波に対し利用者ＩＤが応答されないときは、到達距離の長い長距離検出波を周囲に送出し、当該長距離検出波に対し利用者ＩＤが応答されかつ当該長距離検出波に対し応答された利用者ＩＤと他の電話機の電話機ＩＤとを含む近傍検出通知を検出したときは、当該長距離検出波に対し応答された利用者ＩＤの利用者への着信要求に対する着信を自身にさせないための設定処理を行う
ことを特徴とする記録媒体。
【請求項１７】
複数の電話機が接続される電話網に接続される着信制御装置に着信制御方法を実行させるコンピュータプログラムを格納した記録媒体であって、
前記着信制御方法が、
利用者の利用者ＩＤと該利用者ＩＤを応答された電話機の電話機ＩＤとを含む列からなるテーブルの当該利用者ＩＤの利用者への着信要求に対する着信が当該電話機ＩＤを対応づけられた電話機になされるように制御しかつ、
前記複数の電話機のそれぞれが、
利用者の利用者ＩＤを記憶した応答器を検出するための到達距離の短い短距離検出波を周囲に送出し、当該短距離検出波に対し利用者ＩＤが応答されたときは、当該利用者ＩＤと自身の電話機ＩＤとを含む登録リクエストを当該着信制御装置に送信するとともに、他の電話機に対し、当該応答された利用者ＩＤと自身の電話機ＩＤとを含む近傍検出通知を電話網を介して送出し、
前記短距離検出波に対し利用者ＩＤが応答されないときは、到達距離の長い長距離検出波を周囲に送出し、当該長距離検出波に対し利用者ＩＤが応答されかつ当該長距離検出波に対し応答された利用者ＩＤと他の電話機の電話機ＩＤとを含む近傍検出通知を検出したときは、当該長距離検出波に対し応答された利用者ＩＤと自身の電話機ＩＤとを含む削除リクエストを当該着信制御装置に送信する
ときに、
到来したリクエストが登録リクエストであり、かつ当該登録リクエストに含まれる利用者ＩＤと電話機ＩＤを含む列が前記テーブルになければ当該列を追加する一方、到来したリクエストが削除リクエストであり、かつ当該削除リクエストに含まれる利用者ＩＤと電話機ＩＤを含む列がテーブルにあれば当該列を削除する
ことを特徴とする記録媒体。
【請求項１８】
前記着信制御方法が、登録リクエストまたは削除リクエストが到来する度に到来の時刻を更新時刻として当該リクエストに含まれる利用者ＩＤに対応づけて記憶し、当該利用者ＩＤの利用者への着信要求の際に当該更新時刻が過去の所定時点までの間の時刻でない場合には着信しないように制御することを特徴とする請求項１７記載の記録媒体。
【請求項１９】
前記着信制御方法が、前記着信しないように制御する際には利用者ＩＤに利用者が不在であることを示す情報を対応づけ、次回の着信要求の際に当該不在であることを示す情報が対応づけられているときには着信しないように制御することを特徴とする請求項１８記載の記録媒体。
【請求項２０】
前記着信制御方法が、グループのグループＩＤと当該グループに属する利用者の利用者ＩＤとが対応づけられているときに、当該グループへの着信要求に対する着信が当該利用者ＩＤに対して前記テーブルで電話機ＩＤを対応づけられた電話機になされるように制御することを特徴とする請求項１７ないし１９のいずれかに記載の記録媒体。
【発明の詳細な説明】
【０００１】
【発明の属する技術分野】
本発明は、利用者の近くにある電話機に自動的に着信する電話システムにおいて必要以上に着信鳴動しない電話機と当該電話システムに適した着信制御装置等に関する。
【０００２】
【従来の技術】
従来から、利用者の近くにある電話機に自動的に着信する電話システムの研究がなされてきた。
【０００３】
図９は、従来の電話システムの動作説明図である。電話機２０１は、斜線で内側を示した円内に利用者の所持する応答器を検知しているときの当該利用者宛の着信要求により鳴動する。電話機２０２も同様の動作をする。したがって、例えば、電話機２０１から電話機２０２の近くへ移動しても、今度は電話機２０２が鳴動するので、利用者は移動先の電話機２０２で通話することができる。かかる電話システムは、例えば、下記の特許文献１の技術を用いれば容易に構築できる。
【０００４】
【特許文献１】
特開平９−３２１８８７号公報
【０００５】
【発明が解決しようとする課題】
しかしながら、例えば図９のＰ１で示す位置にいる利用者はすぐ近くにある電話機２０２で通話するのが最適であるにも関わらず、電話機２０１による応答器を検出するための電波の到達範囲が電話機２０２のごく近傍まで及ぶと、電話機２０１までもが鳴動してしまうことになる。つまり、必要以上に電話機が鳴動するという不都合があった。
【０００６】
そこで本発明は、上記の従来の課題に鑑みてなされたものであり、その目的とするところは、利用者の近くにある電話機に自動的に着信する電話システムにおいて必要以上に着信鳴動しない電話機と該電話システムに適した着信制御装置と当該電話機が行う電話機の制御方法と当該着信制御装置が行う着信制御方法と当該方法を実行させるコンピュータプログラムと該コンピュータプログラムを格納した記録媒体を提供することにある。
【０００７】
【課題を解決するための手段】
上記従来の課題を解決するために、請求項１の本発明は、電話網に接続される複数の電話機の１つとして使用される電話機であって、利用者の利用者ＩＤを記憶した応答器を検出するための到達距離の短い短距離検出波を周囲に送出し、当該短距離検出波に対し利用者ＩＤが応答されたときは、当該利用者ＩＤの利用者への着信要求に対する着信が自身になされるための設定処理を行うとともに、他の電話機に対し、当該応答された利用者ＩＤと自身の電話機ＩＤとを含む近傍検出通知を電話網を介して送出し、前記短距離検出波に対し利用者ＩＤが応答されないときは、到達距離の長い長距離検出波を周囲に送出し、当該長距離検出波に対し利用者ＩＤが応答されかつ当該長距離検出波に対し応答された利用者ＩＤと他の電話機の電話機ＩＤとを含む近傍検出通知を検出したときは、当該長距離検出波に対し応答された利用者ＩＤの利用者への着信要求に対する着信を自身にさせないための設定処理を行うことを特徴とする電話機をもって解決手段とする。
【０００８】
この請求項１の本発明によれば、短距離検出波を周囲に送出し、利用者ＩＤが応答されたときは、利用者への着信要求に対する着信が自身になされるための設定処理を行うとともに、他の電話機に対し、近傍検出通知を電話網を介して送出し、長距離検出波に対し利用者ＩＤが応答されかつ当該長距離検出波に対し応答された利用者ＩＤと他の電話機の電話機ＩＤとを含む近傍検出通知を検出したときは、利用者への着信要求に対する着信を自身にさせないための設定処理を行うので、自身からの長距離検出波の到達範囲内に応答器を検出した場合であっても当該応答器が他の電話機からの短距離検出波の到達範囲内にあるときは自身には着信及び鳴動しないようになる。
【０００９】
請求項２の本発明は、複数の電話機が接続される電話網に接続される着信制御装置であって、利用者の利用者ＩＤと該利用者ＩＤを応答された電話機の電話機ＩＤとを含む列からなるテーブルの当該利用者ＩＤの利用者への着信要求に対する着信が当該電話機ＩＤを対応づけられた電話機になされるように制御しかつ、前記複数の電話機のそれぞれが、利用者の利用者ＩＤを記憶した応答器を検出するための到達距離の短い短距離検出波を周囲に送出し、当該短距離検出波に対し利用者ＩＤが応答されたときは、当該利用者ＩＤと自身の電話機ＩＤとを含む登録リクエストを当該着信制御装置に送信するとともに、他の電話機に対し、当該応答された利用者ＩＤと自身の電話機ＩＤとを含む近傍検出通知を電話網を介して送出し、前記短距離検出波に対し利用者ＩＤが応答されないときは、到達距離の長い長距離検出波を周囲に送出し、当該長距離検出波に対し利用者ＩＤが応答されかつ当該長距離検出波に対し応答された利用者ＩＤと他の電話機の電話機ＩＤとを含む近傍検出通知を検出したときは、当該長距離検出波に対し応答された利用者ＩＤと自身の電話機ＩＤとを含む削除リクエストを当該着信制御装置に送信するときに、到来したリクエストが登録リクエストであり、かつ当該登録リクエストに含まれる利用者ＩＤと電話機ＩＤを含む列が前記テーブルになければ当該列を追加する一方、到来したリクエストが削除リクエストであり、かつ当該削除リクエストに含まれる利用者ＩＤと電話機ＩＤを含む列がテーブルにあれば当該列を削除することを特徴とする着信制御装置をもって解決手段とする。
【００１０】
この請求項２の本発明によれば、利用者の利用者ＩＤと該利用者ＩＤを応答された電話機の電話機ＩＤとを含む列からなるテーブルの当該利用者ＩＤの利用者への着信要求に対する着信が当該電話機ＩＤを対応づけられた電話機になされるように制御しかつ、到来したリクエストが登録リクエストであり、かつ当該登録リクエストに含まれる利用者ＩＤと電話機ＩＤを含む列がテーブルになければ当該列を追加する一方、到来したリクエストが削除リクエストであり、かつ当該削除リクエストに含まれる利用者ＩＤと電話機ＩＤを含む列がテーブルにあれば当該列を削除するので、長距離検出波の到達範囲内に応答器を検出した電話機から近傍検出通知を検出したことにより到来する削除リクエストに含まれる利用者ＩＤと電話機ＩＤを含む列が削除され、したがって、当該電話機への着信及び鳴動をしないようにできる。
【００１１】
請求項３の本発明は、登録リクエストまたは削除リクエストが到来する度に到来の時刻を更新時刻として当該リクエストに含まれる利用者ＩＤに対応づけて記憶し、当該利用者ＩＤの利用者への着信要求の際に当該更新時刻が過去の所定時点までの間の時刻でない場合には着信しないように制御することを特徴とする請求項２記載の着信制御装置をもって解決手段とする。
【００１２】
この請求項３の本発明によれば、リクエストが到来する度に到来の時刻を更新時刻として利用者ＩＤに対応づけて記憶し、当該利用者ＩＤの利用者への着信要求の際に当該更新時刻が過去の所定時点までの間の時刻でない場合には着信しないように制御するので、利用者がいずれの電話機からの電波の到達範囲外に出てから所定の時間経過した場合に着信しないようにできる。
【００１３】
請求項４の本発明は、前記着信しないように制御する際には利用者ＩＤに利用者が不在であることを示す情報を対応づけ、次回の着信要求の際に当該不在であることを示す情報が対応づけられているときには着信しないように制御することを特徴とする請求項３記載の着信制御装置をもって解決手段とする。
【００１４】
この請求項４の本発明によれば、着信しないように制御する際には利用者ＩＤに利用者が不在であることを示す情報を対応づけ、次回の着信要求の際に当該不在であることを示す情報が対応づけられているときには着信しないように制御するので、不在である情報により着信しないように制御することができる。
【００１５】
請求項５の本発明は、グループのグループＩＤと当該グループに属する利用者の利用者ＩＤとが対応づけられていて、当該グループへの着信要求に対する着信が当該利用者ＩＤに対して前記テーブルで電話機ＩＤを対応づけられた電話機になされるように制御することを特徴とする請求項２ないし４のいずれかに記載の着信制御装置をもって解決手段とする。
【００１６】
この請求項５の本発明によれば、グループのグループＩＤと当該グループに属する利用者の利用者ＩＤとが対応づけられていて、当該グループへの着信要求に対する着信が当該利用者ＩＤに対して前記テーブルで電話機ＩＤを対応づけられた電話機になされるように制御するので、グループに属する利用者への着信要求に対し必要以上に電話機を鳴動しないようにできる。
【００１７】
請求項６の本発明は、電話網に接続される複数の電話機の１つとして使用される電話機が行う電話機の制御方法であって、利用者の利用者ＩＤを記憶した応答器を検出するための到達距離の短い短距離検出波を周囲に送出し、当該短距離検出波に対し利用者ＩＤが応答されたときは、当該利用者ＩＤの利用者への着信要求に対する着信が自身になされるための設定処理を行うとともに、他の電話機に対し、当該応答された利用者ＩＤと自身の電話機ＩＤとを含む近傍検出通知を電話網を介して送出し、前記短距離検出波に対し利用者ＩＤが応答されないときは、到達距離の長い長距離検出波を周囲に送出し、当該長距離検出波に対し利用者ＩＤが応答されかつ当該長距離検出波に対し応答された利用者ＩＤと他の電話機の電話機ＩＤとを含む近傍検出通知を検出したときは、当該長距離検出波に対し応答された利用者ＩＤの利用者への着信要求に対する着信を自身にさせないための設定処理を行うことを特徴とする電話機の制御方法をもって解決手段とする。
【００１８】
この請求項６の本発明によれば、短距離検出波を周囲に送出し、利用者ＩＤが応答されたときは、利用者への着信要求に対する着信が自身になされるための設定処理を行うとともに、他の電話機に対し、近傍検出通知を電話網を介して送出し、長距離検出波に対し利用者ＩＤが応答されかつ当該長距離検出波に対し応答された利用者ＩＤと他の電話機の電話機ＩＤとを含む近傍検出通知を検出したときは、利用者への着信要求に対する着信を自身にさせないための設定処理を行うので、自身からの長距離検出波の到達範囲内に応答器を検出した場合であっても当該応答器が他の電話機からの短距離検出波の到達範囲内にあるときは自身には着信及び鳴動しないようになる。
【００１９】
請求項７の本発明は、複数の電話機が接続される電話網に接続される着信制御装置が行う着信制御方法であって、利用者の利用者ＩＤと該利用者ＩＤを応答された電話機の電話機ＩＤとを含む列からなるテーブルの当該利用者ＩＤの利用者への着信要求に対する着信が当該電話機ＩＤを対応づけられた電話機になされるように制御しかつ、前記複数の電話機のそれぞれが、利用者の利用者ＩＤを記憶した応答器を検出するための到達距離の短い短距離検出波を周囲に送出し、当該短距離検出波に対し利用者ＩＤが応答されたときは、当該利用者ＩＤと自身の電話機ＩＤとを含む登録リクエストを当該着信制御装置に送信するとともに、他の電話機に対し、当該応答された利用者ＩＤと自身の電話機ＩＤとを含む近傍検出通知を電話網を介して送出し、前記短距離検出波に対し利用者ＩＤが応答されないときは、到達距離の長い長距離検出波を周囲に送出し、当該長距離検出波に対し利用者ＩＤが応答されかつ当該長距離検出波に対し応答された利用者ＩＤと他の電話機の電話機ＩＤとを含む近傍検出通知を検出したときは、当該長距離検出波に対し応答された利用者ＩＤと自身の電話機ＩＤとを含む削除リクエストを当該着信制御装置に送信するときに、到来したリクエストが登録リクエストであり、かつ当該登録リクエストに含まれる利用者ＩＤと電話機ＩＤを含む列が前記テーブルになければ当該列を追加する一方、到来したリクエストが削除リクエストであり、かつ当該削除リクエストに含まれる利用者ＩＤと電話機ＩＤを含む列がテーブルにあれば当該列を削除することを特徴とする着信制御方法をもって解決手段とする。
【００２０】
この請求項７の本発明によれば、利用者の利用者ＩＤと該利用者ＩＤを応答された電話機の電話機ＩＤとを含む列からなるテーブルの当該利用者ＩＤの利用者への着信要求に対する着信が当該電話機ＩＤを対応づけられた電話機になされるように制御しかつ、到来したリクエストが登録リクエストであり、かつ当該登録リクエストに含まれる利用者ＩＤと電話機ＩＤを含む列がテーブルになければ当該列を追加する一方、到来したリクエストが削除リクエストであり、かつ当該削除リクエストに含まれる利用者ＩＤと電話機ＩＤを含む列がテーブルにあれば当該列を削除するので、長距離検出波の到達範囲内に応答器を検出した電話機から近傍検出通知を検出したことにより到来する削除リクエストに含まれる利用者ＩＤと電話機ＩＤを含む列が削除され、したがって、当該電話機への着信及び鳴動をしないようにできる。
【００２１】
請求項８の本発明は、登録リクエストまたは削除リクエストが到来する度に到来の時刻を更新時刻として当該リクエストに含まれる利用者ＩＤに対応づけて記憶し、当該利用者ＩＤの利用者への着信要求の際に当該更新時刻が過去の所定時点までの間の時刻でない場合には着信しないように制御することを特徴とする請求項７記載の着信制御方法をもって解決手段とする。
【００２２】
この請求項８の本発明によれば、リクエストが到来する度に到来の時刻を更新時刻として利用者ＩＤに対応づけて記憶し、当該利用者ＩＤの利用者への着信要求の際に当該更新時刻が過去の所定時点までの間の時刻でない場合には着信しないように制御するので、利用者がいずれの電話機からの電波の到達範囲外に出てから所定の時間経過した場合に着信しないようにできる。
【００２３】
請求項９の本発明は、前記着信しないように制御する際には利用者ＩＤに利用者が不在であることを示す情報を対応づけ、次回の着信要求の際に当該不在であることを示す情報が対応づけられているときには着信しないように制御することを特徴とする請求項８記載の着信制御方法をもって解決手段とする。
【００２４】
この請求項９の本発明によれば、着信しないように制御する際には利用者ＩＤに利用者が不在であることを示す情報を対応づけ、次回の着信要求の際に当該不在であることを示す情報が対応づけられているときには着信しないように制御するので、不在である情報により着信しないように制御することができる。
【００２５】
請求項１０の本発明は、グループのグループＩＤと当該グループに属する利用者の利用者ＩＤとが対応づけられているときに、当該グループへの着信要求に対する着信が当該利用者ＩＤに対して前記テーブルで電話機ＩＤを対応づけられた電話機になされるように制御することを特徴とする請求項７ないし９のいずれかに記載の着信制御方法をもって解決手段とする。
【００２６】
この請求項１０の本発明によれば、グループのグループＩＤと当該グループに属する利用者の利用者ＩＤとが対応づけられているときに、当該グループへの着信要求に対する着信が当該利用者ＩＤに対して前記テーブルで電話機ＩＤを対応づけられた電話機になされるように制御するので、グループに属する利用者への着信要求に対し必要以上に電話機を鳴動しないようにできる。
【００２７】
請求項１１の本発明は、電話網に接続される複数の電話機の１つとして使用される電話機に電話機の制御方法を実行させるコンピュータプログラムであって、前記電話機の制御方法が、利用者の利用者ＩＤを記憶した応答器を検出するための到達距離の短い短距離検出波を周囲に送出し、当該短距離検出波に対し利用者ＩＤが応答されたときは、当該利用者ＩＤの利用者への着信要求に対する着信が自身になされるための設定処理を行うとともに、他の電話機に対し、当該応答された利用者ＩＤと自身の電話機ＩＤとを含む近傍検出通知を電話網を介して送出し、前記短距離検出波に対し利用者ＩＤが応答されないときは、到達距離の長い長距離検出波を周囲に送出し、当該長距離検出波に対し利用者ＩＤが応答されかつ当該長距離検出波に対し応答された利用者ＩＤと他の電話機の電話機ＩＤとを含む近傍検出通知を検出したときは、当該長距離検出波に対し応答された利用者ＩＤの利用者への着信要求に対する着信を自身にさせないための設定処理を行うことを特徴とするコンピュータプログラムをもって解決手段とする。
【００２８】
この請求項１１の本発明は、短距離検出波を周囲に送出し、利用者ＩＤが応答されたときは、利用者への着信要求に対する着信が自身になされるための設定処理を行うとともに、他の電話機に対し、近傍検出通知を電話網を介して送出し、長距離検出波に対し利用者ＩＤが応答されかつ当該長距離検出波に対し応答された利用者ＩＤと他の電話機の電話機ＩＤとを含む近傍検出通知を検出したときは、利用者への着信要求に対する着信を自身にさせないための設定処理を行う電話機の制御方法を実行させるので、このコンピュータプログラムを実行すると、自身からの長距離検出波の到達範囲内に応答器を検出した場合であっても当該応答器が他の電話機からの短距離検出波の到達範囲内にあるときは自身には着信及び鳴動しないようになり、かつコンピュータプログラムであるのでその流通性を高めることができる。
【００２９】
請求項１２の本発明は、複数の電話機が接続される電話網に接続される着信制御装置に着信制御方法を実行させるコンピュータプログラムであって、前記着信制御方法が、利用者の利用者ＩＤと該利用者ＩＤを応答された電話機の電話機ＩＤとを含む列からなるテーブルの当該利用者ＩＤの利用者への着信要求に対する着信が当該電話機ＩＤを対応づけられた電話機になされるように制御しかつ、前記複数の電話機のそれぞれが、利用者の利用者ＩＤを記憶した応答器を検出するための到達距離の短い短距離検出波を周囲に送出し、当該短距離検出波に対し利用者ＩＤが応答されたときは、当該利用者ＩＤと自身の電話機ＩＤとを含む登録リクエストを当該着信制御装置に送信するとともに、他の電話機に対し、当該応答された利用者ＩＤと自身の電話機ＩＤとを含む近傍検出通知を電話網を介して送出し、前記短距離検出波に対し利用者ＩＤが応答されないときは、到達距離の長い長距離検出波を周囲に送出し、当該長距離検出波に対し利用者ＩＤが応答されかつ当該長距離検出波に対し応答された利用者ＩＤと他の電話機の電話機ＩＤとを含む近傍検出通知を検出したときは、当該長距離検出波に対し応答された利用者ＩＤと自身の電話機ＩＤとを含む削除リクエストを当該着信制御装置に送信するときに、到来したリクエストが登録リクエストであり、かつ当該登録リクエストに含まれる利用者ＩＤと電話機ＩＤを含む列が前記テーブルになければ当該列を追加する一方、到来したリクエストが削除リクエストであり、かつ当該削除リクエストに含まれる利用者ＩＤと電話機ＩＤを含む列がテーブルにあれば当該列を削除することを特徴とするコンピュータプログラムをもって解決手段とする。
【００３０】
この請求項１２の本発明によれば、利用者の利用者ＩＤと該利用者ＩＤを応答された電話機の電話機ＩＤとを含む列からなるテーブルの当該利用者ＩＤの利用者への着信要求に対する着信が当該電話機ＩＤを対応づけられた電話機になされるように制御しかつ、到来したリクエストが登録リクエストであり、かつ当該登録リクエストに含まれる利用者ＩＤと電話機ＩＤを含む列がテーブルになければ当該列を追加する一方、到来したリクエストが削除リクエストであり、かつ当該削除リクエストに含まれる利用者ＩＤと電話機ＩＤを含む列がテーブルにあれば当該列を削除する着信制御方法を実行させるので、このコンピュータプログラムを実行することにより、長距離検出波の到達範囲内に応答器を検出した電話機から近傍検出通知を検出したことにより到来する削除リクエストに含まれる利用者ＩＤと電話機ＩＤを含む列が削除され、したがって、当該電話機への着信及び鳴動をしないようにでき、かつコンピュータプログラムであるのでその流通性を高めることができる。
【００３１】
請求項１３の本発明は、前記着信制御方法が、登録リクエストまたは削除リクエストが到来する度に到来の時刻を更新時刻として当該リクエストに含まれる利用者ＩＤに対応づけて記憶し、当該利用者ＩＤの利用者への着信要求の際に当該更新時刻が過去の所定時点までの間の時刻でない場合には着信しないように制御することを特徴とする請求項１２記載のコンピュータプログラムをもって解決手段とする。
【００３２】
この請求項１３の本発明によれば、リクエストが到来する度に到来の時刻を更新時刻として利用者ＩＤに対応づけて記憶し、当該利用者ＩＤの利用者への着信要求の際に当該更新時刻が過去の所定時点までの間の時刻でない場合には着信しないように制御する着信制御方法を実行させるので、このコンピュータプログラムを実行することにより、利用者がいずれの電話機からの電波の到達範囲外に出てから所定の時間経過した場合に着信しないようにでき、かつコンピュータプログラムであるのでその流通性を高めることができる。
【００３３】
請求項１４の本発明は、前記着信制御方法が、前記着信しないように制御する際には利用者ＩＤに利用者が不在であることを示す情報を対応づけ、次回の着信要求の際に当該不在であることを示す情報が対応づけられているときには着信しないように制御することを特徴とする請求項１３記載のコンピュータプログラムをもって解決手段とする。
【００３４】
この請求項１４の本発明によれば、着信しないように制御する際には利用者ＩＤに利用者が不在であることを示す情報を対応づけ、次回の着信要求の際に当該不在であることを示す情報が対応づけられているときには着信しないように制御する着信制御方法を実行させるので、このコンピュータプログラムを実行することにより、不在である情報により着信しないように制御することができ、かつコンピュータプログラムであるのでその流通性を高めることができる。
【００３５】
請求項１５の本発明は、前記着信制御方法が、グループのグループＩＤと当該グループに属する利用者の利用者ＩＤとが対応づけられているときに、当該グループへの着信要求に対する着信が当該利用者ＩＤに対して前記テーブルで電話機ＩＤを対応づけられた電話機になされるように制御することを特徴とする請求項１２ないし１４のいずれかに記載のコンピュータプログラムをもって解決手段とする。
【００３６】
この請求項１５の本発明によれば、グループのグループＩＤと当該グループに属する利用者の利用者ＩＤとが対応づけられているときに、当該グループへの着信要求に対する着信が当該利用者ＩＤに対して前記テーブルで電話機ＩＤを対応づけられた電話機になされるように制御する着信制御方法を実行させるので、このコンピュータプログラムを実行することにより、グループに属する利用者への着信要求に対し必要以上に電話機を鳴動しないようにでき、かつコンピュータプログラムであるのでその流通性を高めることができる。
【００３７】
請求項１６の本発明は、電話網に接続される複数の電話機の１つとして使用される電話機に電話機の制御方法を実行させるコンピュータプログラムを格納した記録媒体であって、前記電話機の制御方法が、利用者の利用者ＩＤを記憶した応答器を検出するための到達距離の短い短距離検出波を周囲に送出し、当該短距離検出波に対し利用者ＩＤが応答されたときは、当該利用者ＩＤの利用者への着信要求に対する着信が自身になされるための設定処理を行うとともに、他の電話機に対し、当該応答された利用者ＩＤと自身の電話機ＩＤとを含む近傍検出通知を電話網を介して送出し、前記短距離検出波に対し利用者ＩＤが応答されないときは、到達距離の長い長距離検出波を周囲に送出し、当該長距離検出波に対し利用者ＩＤが応答されかつ当該長距離検出波に対し応答された利用者ＩＤと他の電話機の電話機ＩＤとを含む近傍検出通知を検出したときは、当該長距離検出波に対し応答された利用者ＩＤの利用者への着信要求に対する着信を自身にさせないための設定処理を行うことを特徴とする記録媒体をもって解決手段とする。
【００３８】
この請求項１６の本発明は、短距離検出波を周囲に送出し、利用者ＩＤが応答されたときは、利用者への着信要求に対する着信が自身になされるための設定処理を行うとともに、他の電話機に対し、近傍検出通知を電話網を介して送出し、長距離検出波に対し利用者ＩＤが応答されかつ当該長距離検出波に対し応答された利用者ＩＤと他の電話機の電話機ＩＤとを含む近傍検出通知を検出したときは、利用者への着信要求に対する着信を自身にさせないための設定処理を行う電話機の制御方法を実行させるコンピュータプログラムを格納しているので、この記録媒体からコンピュータプログラムを読み込んだ際には、自身からの長距離検出波の到達範囲内に応答器を検出した場合であっても当該応答器が他の電話機からの短距離検出波の到達範囲内にあるときは自身には着信及び鳴動しないようになり、かつ記録媒体であるのでその流通性を高めることができる。
【００３９】
請求項１７の本発明は、複数の電話機が接続される電話網に接続される着信制御装置に着信制御方法を実行させるコンピュータプログラムを格納した記録媒体であって、前記着信制御方法が、利用者の利用者ＩＤと該利用者ＩＤを応答された電話機の電話機ＩＤとを含む列からなるテーブルの当該利用者ＩＤの利用者への着信要求に対する着信が当該電話機ＩＤを対応づけられた電話機になされるように制御しかつ、前記複数の電話機のそれぞれが、利用者の利用者ＩＤを記憶した応答器を検出するための到達距離の短い短距離検出波を周囲に送出し、当該短距離検出波に対し利用者ＩＤが応答されたときは、当該利用者ＩＤと自身の電話機ＩＤとを含む登録リクエストを当該着信制御装置に送信するとともに、他の電話機に対し、当該応答された利用者ＩＤと自身の電話機ＩＤとを含む近傍検出通知を電話網を介して送出し、前記短距離検出波に対し利用者ＩＤが応答されないときは、到達距離の長い長距離検出波を周囲に送出し、当該長距離検出波に対し利用者ＩＤが応答されかつ当該長距離検出波に対し応答された利用者ＩＤと他の電話機の電話機ＩＤとを含む近傍検出通知を検出したときは、当該長距離検出波に対し応答された利用者ＩＤと自身の電話機ＩＤとを含む削除リクエストを当該着信制御装置に送信するときに、到来したリクエストが登録リクエストであり、かつ当該登録リクエストに含まれる利用者ＩＤと電話機ＩＤを含む列が前記テーブルになければ当該列を追加する一方、到来したリクエストが削除リクエストであり、かつ当該削除リクエストに含まれる利用者ＩＤと電話機ＩＤを含む列がテーブルにあれば当該列を削除することを特徴とする記録媒体をもって解決手段とする。
【００４０】
この請求項１７の本発明によれば、利用者の利用者ＩＤと該利用者ＩＤを応答された電話機の電話機ＩＤとを含む列からなるテーブルの当該利用者ＩＤの利用者への着信要求に対する着信が当該電話機ＩＤを対応づけられた電話機になされるように制御しかつ、到来したリクエストが登録リクエストであり、かつ当該登録リクエストに含まれる利用者ＩＤと電話機ＩＤを含む列がテーブルになければ当該列を追加する一方、到来したリクエストが削除リクエストであり、かつ当該削除リクエストに含まれる利用者ＩＤと電話機ＩＤを含む列がテーブルにあれば当該列を削除する着信制御方法を実行させるコンピュータプログラムを格納しているので、この記録媒体のコンピュータプログラムを実行することにより、長距離検出波の到達範囲内に応答器を検出した電話機から近傍検出通知を検出したことにより到来する削除リクエストに含まれる利用者ＩＤと電話機ＩＤを含む列が削除され、したがって、当該電話機への着信及び鳴動をしないようにでき、かつ記録媒体であるのでその流通性を高めることができる。
【００４１】
請求項１８の本発明は、前記着信制御方法が、登録リクエストまたは削除リクエストが到来する度に到来の時刻を更新時刻として当該リクエストに含まれる利用者ＩＤに対応づけて記憶し、当該利用者ＩＤの利用者への着信要求の際に当該更新時刻が過去の所定時点までの間の時刻でない場合には着信しないように制御することを特徴とする請求項１７記載の記録媒体をもって解決手段とする。
【００４２】
この請求項１８の本発明によれば、リクエストが到来する度に到来の時刻を更新時刻として利用者ＩＤに対応づけて記憶し、当該利用者ＩＤの利用者への着信要求の際に当該更新時刻が過去の所定時点までの間の時刻でない場合には着信しないように制御する着信制御方法を実行させるコンピュータプログラムを格納しているので、この記録媒体のコンピュータプログラムを実行することにより、利用者がいずれの電話機からの電波の到達範囲外に出てから所定の時間経過した場合に着信しないようにでき、かつ記録媒体であるのでその流通性を高めることができる。
【００４３】
請求項１９の本発明は、前記着信制御方法が、前記着信しないように制御する際には利用者ＩＤに利用者が不在であることを示す情報を対応づけ、次回の着信要求の際に当該不在であることを示す情報が対応づけられているときには着信しないように制御することを特徴とする請求項１８記載の記録媒体をもって解決手段とする。
【００４４】
この請求項１９の本発明によれば、着信しないように制御する際には利用者ＩＤに利用者が不在であることを示す情報を対応づけ、次回の着信要求の際に当該不在であることを示す情報が対応づけられているときには着信しないように制御する着信制御方法を実行させるコンピュータプログラムを格納しているので、この記録媒体のコンピュータプログラムを実行させることにより、不在である情報により着信しないように制御することができ、かつ記録媒体であるのでその流通性を高めることができる。
【００４５】
請求項２０の本発明は、前記着信制御方法が、グループのグループＩＤと当該グループに属する利用者の利用者ＩＤとが対応づけられているときに、当該グループへの着信要求に対する着信が当該利用者ＩＤに対して前記テーブルで電話機ＩＤを対応づけられた電話機になされるように制御することを特徴とする請求項１７ないし１９のいずれかに記載の記録媒体をもって解決手段とする。
【００４６】
この請求項２０の本発明によれば、グループのグループＩＤと当該グループに属する利用者の利用者ＩＤとが対応づけられているときに、当該グループへの着信要求に対する着信が当該利用者ＩＤに対して前記テーブルで電話機ＩＤを対応づけられた電話機になされるように制御する着信制御方法を実行させるコンピュータプログラムを格納しているので、この記録媒体のコンピュータプログラムを実行させることにより、グループに属する利用者への着信要求に対し必要以上に電話機を鳴動しないようにでき、かつ記録媒体であるのでその流通性を高めることができる。
【００４７】
【発明の実施の形態】
以下、本発明の実施の形態を図面を参照して説明する。
図１は、本発明を適用した電話システムの構成を示す図である。
サーバ１は、本発明の着信制御方法を実行する着信制御装置に相当し、本発明の電話網に相当するＩＰ電話網１０に接続され、ＩＰ電話網１０には、本発明の電話機の制御方法を実行する電話機２１、２２及び２３が接続されている。本実施の形態では、電話機２２のすぐ近くの地点Ｐ１にいる利用者宛の発信に対しては、当該地点Ｐ１が電話機２１の検知範囲内であっても電話機２１を鳴動させないように制御する。
【００４８】
この実施の形態では、図１の各電話機は、該電話機を一意に示す情報の識別情報（以下同様）である電話機ＩＤを記憶をしている。利用者は該利用者の識別情報である利用者ＩＤを記憶した応答器を常に携帯する。応答器は、電話機からの検出波に対して、当該応答器に記憶された利用者ＩＤを応答する。
【００４９】
図２は、図１の各電話機が行う処理のフローチャートである。
応答器を検出するための到達距離の短い電波（短距離検出波という）を周囲に送出する（ステップＳ１）。図１の符号１００でその到達範囲を示す。次に利用者ＩＤが応答されたかを判定する（ステップＳ３）。ＹＥＳと判定されたときは、ＩＰ電話網１０を介して全電話機に対し、応答された利用者ＩＤと自身の電話機ＩＤの組を含む近傍検出通知を１秒間送出する（ステップＳ５）。そして、その応答された利用者ＩＤと自身の電話機ＩＤとを含む登録リクエストをサーバ１に送信し（ステップＳ７）、ステップＳ１へと戻る。
【００５０】
ステップＳ３でＮＯ（利用者ＩＤが応答されない）と判定されたときは、応答器を検出するための到達距離の長い電波（長距離検出波という）を周囲に送出する（ステップＳ９）。図１の符号２００でその到達範囲を示す。次に利用者ＩＤが応答されたかを判定する（ステップＳ１１）。ＮＯと判定されたときは、ステップＳ１へ戻る。
【００５１】
一方、ＹＥＳ（利用者ＩＤが応答された）と判定されたときは、近傍検出通知が送出されているか否かを検出する（ステップＳ１３）。ＮＯと判定されたときは、ステップＳ７へと進む。
【００５２】
一方、ＹＥＳ（近傍検出通知が検出された）と判定されたときは、長距離検出波に対して応答された利用者ＩＤと自身の電話機ＩＤとを含む削除リクエストをサーバ１に送信し（ステップＳ１５）、ステップＳ１へと戻る。
【００５３】
図３乃至図６は、サーバ１が備える各テーブルを例示する図である。
図３に示すように、テーブル１１は、一人の利用者の利用者ＩＤと当該利用者の近傍にある電話機の電話機ＩＤの１つとを含む列が各利用者と各電話機の位置関係やその変化により適宜追加または削除される固定磁気記憶装置等の記憶領域である。利用者の近傍に電話機が複数ある場合は当該利用者については当該電話機の電話機ＩＤをそれぞれに含む複数の列がテーブル１１に含まれることになる。
【００５４】
図４に示すように、テーブル１２は、一人の利用者の利用者ＩＤと該利用者だけに割り当てられた利用者電話番号と該利用者がどの電話機の近傍にもいないこと（不在）あるいは不在でないことを示す不在フラグと当該利用者についての最も近くに行われたテーブルの更新時刻（単に更新時刻と記する）とを含む列が各利用者について記憶され、各列の不在フラグと更新時刻については各利用者と各電話機の位置関係やその変化により適宜更新される記憶領域である。
【００５５】
図５に示すように、テーブル１３は、一人以上の利用者を含む１つのグループの識別情報であるグループＩＤと当該グループに割り当てられたグループ電話番号とを含む列が予めグループの数分記憶された記憶領域である。
【００５６】
図６に示すように、テーブル１４は、一つのグループのグループＩＤと当該グループに属する利用者の利用者ＩＤの１つとを含む列がグループへの各利用者の帰属関係により予め記憶される記憶領域である。グループに複数の利用者が属する場合は当該利用者については当該利用者の利用者ＩＤをそれぞれに含む複数の列がテーブル１４に含まれることになる。
【００５７】
図７は、いずれかの電話機から登録リクエストまたは削除リクエストが到来した際のサーバ１の処理を示すフローチャートである。
【００５８】
先ず、到来した登録リクエストまたは削除リクエストに含まれる利用者ＩＤを含むテーブル１２の列の更新時刻を現在時刻に書き換える（ステップＳ２１）。
【００５９】
次に、到来したリクエストが登録リクエストか削除リクエストかを判定し（ステップＳ２３）、登録リクエストであり、かつ当該登録リクエストに含まれる利用者ＩＤと電話機ＩＤを含む列がテーブル１１になければ当該列を追加する（ステップＳ２５）。一方、到来したリクエストが削除リクエストであり、かつ当該削除リクエストに含まれる利用者ＩＤと電話機ＩＤを含む列がテーブル１１にあれば当該列を削除する（ステップＳ２５）。
【００６０】
図８は、いずれかの電話機から着側の電話番号を含む着信要求が到来したときのサーバ１の処理を示すフローチャートである。
【００６１】
まず、到来した着信要求に含まれる着側の電話番号をグループ電話番号として含むテーブル１３の列のグループＩＤを検索する（ステップＳ３１）。次にグループＩＤを取得できた場合（ステップＳ３３でＹＥＳ）は、取得したグループＩＤを含むテーブル１４の列の利用者ＩＤを取得する（ステップＳ３５）。取得した利用者ＩＤを含むテーブル１１の列の電話機ＩＤを取得する（ステップＳ３７）。そして取得した電話機ＩＤを記憶した電話機に着信させ当該電話機を鳴動させる（ステップＳ３９）。
【００６２】
ステップＳ３１の検索によりグループＩＤを取得できなかった場合（ステップＳ３３でＮＯ）は、到来した着信要求に含まれる着側の電話番号を利用者電話番号として含むテーブル１２の列を取得する（ステップＳ４１）。
【００６３】
当該取得した列の不在フラグが不在を示しているか否かを判定し（ステップＳ４３）、ＹＥＳと判定されたときは、留守番処理を行う（ステップＳ４５）。一方、ＮＯと判定されたときは、当該取得した列の更新時刻が現在時点から予め定められた時間長を遡った過去の時点までの間の時刻であるか否かを判定する（ステップＳ４７）。ＮＯと判定されたときは、テーブル１２における当該列の不在フラグが不在を示すように書き換える（ステップＳ４９）。
【００６４】
ステップＳ４７でＹＥＳと判定されたときは、当該取得した列の利用者ＩＤを含むテーブル１１の列の電話機ＩＤを取得する（ステップＳ５１）。そして取得した電話機ＩＤを記憶した電話機に呼を着信させ当該電話機を鳴動させる（ステップＳ５３）。
【００６５】
以上説明したように、本実施の形態の電話機２１等によれば、短距離検出波を周囲に送出し、利用者ＩＤが応答されたときは、利用者への着信要求に対する着信が自身になされるための設定処理を行うとともに、他の電話機に対し、近傍検出通知を電話網を介して送出し、長距離検出波に対し利用者ＩＤが応答されかつ当該長距離検出波に対し応答された利用者ＩＤと他の電話機の電話機ＩＤとを含む近傍検出通知を検出したときは、利用者への着信要求に対する着信を自身にさせないための設定処理を行うので、図１の符号Ｐ１に示すように、例えば電話機２１が、自身からの長距離検出波の到達範囲内に応答器を検出した場合であっても当該応答器が他の電話機である電話機２２からの短距離検出波の到達範囲内にあるときは自身には着信及び鳴動しないようになる。
【００６６】
また、本実施の形態のサーバ１すなわち着信制御装置によれば、利用者の利用者ＩＤと該利用者ＩＤを応答された電話機の電話機ＩＤとを含む列からなるテーブルの当該利用者ＩＤの利用者への着信要求に対する着信が当該電話機ＩＤを対応づけられた電話機になされるように制御しかつ、到来したリクエストが登録リクエストであり、かつ当該登録リクエストに含まれる利用者ＩＤと電話機ＩＤを含む列がテーブルになければ当該列を追加する一方、到来したリクエストが削除リクエストであり、かつ当該削除リクエストに含まれる利用者ＩＤと電話機ＩＤを含む列がテーブルにあれば当該列を削除するので、長距離検出波の到達範囲内に応答器を検出した電話機から近傍検出通知を検出したことにより到来する削除リクエストに含まれる利用者ＩＤと電話機ＩＤを含む列が削除され、したがって、当該電話機への着信及び鳴動をしないようにできる。
【００６７】
また、本実施の形態のサーバ１すなわち着信制御装置によれば、リクエストが到来する度に到来の時刻を更新時刻として利用者ＩＤに対応づけて記憶し、当該利用者ＩＤの利用者への着信要求の際に当該更新時刻が過去の所定時点までの間の時刻でない場合には着信しないように制御するので、利用者がいずれの電話機からの電波の到達範囲外に出てから所定の時間経過した場合に着信しないようにできる。
【００６８】
また、本実施の形態のサーバ１すなわち着信制御装置によれば、着信しないように制御する際には利用者ＩＤに利用者が不在であることを示す情報を対応づけ、次回の着信要求の際に当該不在であることを示す情報が対応づけられているときには着信しないように制御するので、不在である情報により着信しないように制御することができる。
【００６９】
また、本実施の形態のサーバ１すなわち着信制御装置によれば、グループのグループＩＤと当該グループに属する利用者の利用者ＩＤとが対応づけられているときに、当該グループへの着信要求に対する着信が当該利用者ＩＤに対してテーブルで電話機ＩＤを対応づけられた電話機になされるように制御するので、グループに属する利用者への着信要求に対し必要以上に電話機を鳴動しないようにできる。
【００７０】
なお、上記説明した処理を実行させるコンピュータプログラムは、半導体メモリ、磁気ディスク、光ディスク、光磁気ディスク、磁気テープなどのコンピュータ読み取り可能な記録媒体に格納したり、インターネットなどの通信網を介して伝送させて、広く流通させることができる。
【００７１】
【発明の効果】
以上説明したように、本発明の電話機または電話機の制御方法によれば、短距離検出波を周囲に送出し、利用者ＩＤが応答されたときは、利用者への着信要求に対する着信が自身になされるための設定処理を行うとともに、他の電話機に対し、近傍検出通知を電話網を介して送出し、長距離検出波に対し利用者ＩＤが応答されかつ当該長距離検出波に対し応答された利用者ＩＤと他の電話機の電話機ＩＤとを含む近傍検出通知を検出したときは、利用者への着信要求に対する着信を自身にさせないための設定処理を行うので、自身からの長距離検出波の到達範囲内に応答器を検出した場合であっても当該応答器が他の電話機からの短距離検出波の到達範囲内にあるときは自身には着信及び鳴動しないようになる。
【００７２】
また、本発明の着信制御装置または着信制御方法によれば、利用者の利用者ＩＤと該利用者ＩＤを応答された電話機の電話機ＩＤとを含む列からなるテーブルの当該利用者ＩＤの利用者への着信要求に対する着信が当該電話機ＩＤを対応づけられた電話機になされるように制御しかつ、到来したリクエストが登録リクエストであり、かつ当該登録リクエストに含まれる利用者ＩＤと電話機ＩＤを含む列がテーブルになければ当該列を追加する一方、到来したリクエストが削除リクエストであり、かつ当該削除リクエストに含まれる利用者ＩＤと電話機ＩＤを含む列がテーブルにあれば当該列を削除するので、長距離検出波の到達範囲内に応答器を検出した電話機から近傍検出通知を検出したことにより到来する削除リクエストに含まれる利用者ＩＤと電話機ＩＤを含む列が削除され、したがって、当該電話機への着信及び鳴動をしないようにできる。
【図面の簡単な説明】
【図１】本発明を適用した電話システムの構成を示す図である。
【図２】図２は、図１の各電話機が行う処理のフローチャートである。
【図３】サーバ１が備えるテーブル１１を例示する図である。
【図４】サーバ１が備えるテーブル１２を例示する図である。
【図５】サーバ１が備えるテーブル１３を例示する図である。
【図６】サーバ１が備えるテーブル１４を例示する図である。
【図７】登録リクエストまたは削除リクエストが到来した際のサーバ１の処理を示すフローチャートである。
【図８】着側の電話番号を含む着信要求が到来したときのサーバ１の処理を示すフローチャートである。
【図９】従来の電話システムの動作説明図である。
【符号の説明】
１  サーバ
１０  ＩＰ電話網
１１〜１４  テーブル
２１，２２，２３  電話機
【図１】
2004289273.tif 000003
【図２】
2004289273.tif 000004
【図３】
2004289273.tif 000005
【図４】
2004289273.tif 000006
【図５】
2004289273.tif 000007
【図６】
2004289273.tif 000008
【図７】
2004289273.tif 000009
【図８】
2004289273.tif 000010
【図９】
2004289273.tif 000011